(57)【特許請求の範囲】
【請求項１】
居室等に設置される健康管理端末と、健康管理端末に通信回線を介して接続されるセンター装置とを備え、センター装置から健康管理端末へは問診事項データセット等のデータを伝送し、健康管理端末からセンター装置へは問診事項に対する問診回答データ等のデータを伝送し、センター装置にあっては健康管理端末から送信されたデータを管理する健康管理システムにおいて、
センター装置は、問診事項格納部と、利用者データ格納部と、健康データ格納部と、設定された条件に従い問診事項格納部から問診事項データセットを抽出する問診事項抽出部と、健康管理端末から入力される健康に関するデータに基づいて問診事項を抽出するための条件を設定する条件設定部とを備え、前記問診事項格納部は前記利用者データ格納部と前記健康データ格納部と連携し、前記条件に該当する問診事項データセットを抽出するようにしたことを特徴とする健康管理システム。
【請求項２】
健康データ格納部は問診回答データを格納するものであり、健康管理端末から入力される健康に関するデータが問診回答データであるようにしたことを特徴とする請求項１記載の健康管理システム。
【請求項３】
健康データ格納部はバイタルデータを格納するものであり、健康管理端末から入力される健康に関するデータがバイタルデータであるようにしたことを特徴とする請求項１記載の健康管理システム。
【請求項４】
健康データ格納部は病名データを格納するものであり、健康管理端末から入力される健康に関するデータが病名データであるようにしたことを特徴とする請求項１記載の健康管理システム。
【請求項５】
問診事項抽出部は、新規に問診を行う利用者に対して、問診事項格納部に予め登録されている全ての問診事項の中から病名の特定に有効な問診事項を抽出するようにしたことを特徴とする請求項１記載の健康管理システム。
【請求項６】
問診事項抽出部は、定期的に条件設定部に依らない問診事項をランダムに抽出し問診事項データセットに組み込むようにしたことを特徴とする請求項１記載の健康管理システム。
【請求項７】
利用者データ格納部は、利用者の病状レベルを格納し、条件設定部は、病状レベルに応じて問診事項データセットの問診事項数を変更するようにしたことを特徴とする請求項１記載の健康管理システム。
【請求項８】
センター装置は、病院等に設置される外部の病歴データベースから利用者の健康に関するデータを取得するようにしたことを特徴とする請求項１記載の健康管理システム。
【発明の詳細な説明】
【０００１】
【発明の属する技術分野】
本発明は、保険分野、医療分野、福祉分野等において利用されるものであり、一般家庭内や施設において、問診回答データやバイタルデータに基づいて利用者の健康状態を管理する健康管理システムに関するものである。
【０００２】
【従来の技術】
従来、一般家庭や病室等にに設置される複数の健康管理端末と、保健管理センター等の医療機関に設置され、健康管理端末と電話回線等を利用して接続されるセンター装置からなる健康管理システムがある。このものにあっては、家庭で利用者が血圧計や体温計で測定したバイタルデータを端末に入力すると、そのデータは電話回線を介してセンター装置に送信されるようになっている。また、健康管理端末において問診事項に対する回答を入力すると、併せて問診回答データがセンター装置に送信されるようになっている。センター装置にあっては、利用者毎に送信されたバイタルデータや問診回答データが管理されており、これに基づいて保健婦や医師等が利用者の健康状態を把握し、利用者に対して健康に関するアドバイスを行うのである。
【０００３】
【発明が解決しようとする課題】
ところが、上述のような構成の健康管理システムにあっては、健康管理端末において利用者が回答する問診事項は予め設定されたものであるという問題点を有していた。したがって、問診事項は全ての利用者に対して普遍的なものに限定されることになり、センター装置において利用者の健康状態を問診回答データから詳細に判断することができなかった。加えて、利用者は健康管理端末において毎回同じ問診事項に対して回答することになるため、回答行為に飽きが生じ、それにより誤った入力がなされる場合があった。
【０００４】
本発明は、上記の問題点に鑑みて成されたものであり、その目的とするところは、問診回答データから利用者の状態をより詳細に把握することが可能になる健康管理システムを提供することにある。
【０００５】
【課題を解決するための手段】
請求項１記載の発明は、居室等に設置される健康管理端末と、健康管理端末に通信回線を介して接続されるセンター装置とを備え、センター装置から健康管理端末へは問診事項データセット等のデータを伝送し、健康管理端末からセンター装置へは問診事項に対する問診回答データ等のデータを伝送し、センター装置にあっては健康管理端末から送信されたデータを管理する健康管理システムにおいて、センター装置は、問診事項格納部と、利用者データ格納部と、健康データ格納部と、設定された条件に従い問診事項格納部から問診事項データセットを抽出する問診事項抽出部と、健康管理端末から入力される健康に関するデータに基づいて問診事項を抽出するための条件を設定する条件設定部とを備え、前記問診事項格納部は前記利用者データ格納部と前記健康データ格納部と連携し、前記条件に該当する問診事項データセットを抽出するようにしたことを特徴とするものである。
【０００６】
請求項２記載の発明は、請求項１記載の健康管理システムにおいて、健康データ格納部は問診回答データを格納するものであり、健康管理端末から入力される健康に関するデータが問診回答データであるようにしたことを特徴とするものである。
【０００７】
請求項３記載の発明は、請求項１記載の健康管理システムにおいて、健康データ格納部はバイタルデータを格納するものであり、健康管理端末から入力される健康に関するデータがバイタルデータであるようにしたことを特徴とするものである。
【０００８】
請求項４記載の発明は、請求項１記載の健康管理システムにおいて、健康データ格納部は病名データを格納するものであり、健康管理端末から入力される健康に関するデータが病名データであるようにしたことを特徴とするものである。
【０００９】
請求項５記載の発明は、請求項１記載の健康管理システムにおいて、問診事項抽出部は、新規に問診を行う利用者に対して、問診事項格納部に予め登録されている全ての問診事項の中から病名の特定に有効な問診事項を抽出するようにしたことを特徴とするものである。
【００１０】
請求項６記載の発明は、請求項１記載の健康管理システムにおいて、問診事項抽出部は、定期的に条件設定部に依らない問診事項をランダムに抽出し問診事項データセットに組み込むようにしたことを特徴とするものである。
【００１１】
請求項７記載の発明は、請求項１記載の健康管理システムにおいて、利用者データ格納部は、利用者の病状レベルを格納し、条件設定部は、病状レベルに応じて問診事項データセットの問診事項数を変更するようにしたことを特徴とするものである。
【００１２】
請求項８記載の発明は、請求項１記載の健康管理システムにおいて、センター装置は、病院等に設置される外部の病歴データベースから利用者の健康に関するデータを取得するようにしたことを特徴とするものである。
【００１３】
【発明の実施の形態】
以下、本発明の一実施の形態に係る健康管理システムについて図１乃至図３に基づき詳細に説明する。
【００１４】
本実施の形態に係る健康管理システムは、図１に示すように、保険センター等の医療機関に設置されるセンター装置１と、各家庭や施設等に設置される健康管理端末２と、センター装置１と健康管理端末２との間におけるデータ送受信を担う通信回線３とを有してなる。なお、本実施の形態にあっては、通信回線３として電話回線を用いているがこれに限られるものではなく、ＣＡＴＶやＩＳＤＮといったものであってもよい。また、図１に示す健康管理システムにあっては、健康管理端末２からセンター装置１に送信されるデータは利用者が回答する問診回答データであるが、図２に示すように、血圧計や体温計といったバイタルセンサから得られるバイタルデータを併せて入力／送信するようにしてもい。
【００１５】
センター装置１は、図３に示すように、問診事項を記憶する問診事項格納部に相当する問診事項テーブル１１と、利用者のデータを記憶する利用者データ格納部１２と、利用者が測定／回答したデータを記憶する健康データ格納部に相当するバイタルデータ測定結果テーブル１３及び問診回答結果テーブル１４と、設定された条件に従い問診事項テーブル１１から問診事項データセットを抽出する問診事項抽出部１５ａと、健康管理端末２から入力される健康に関するデータに基づいて問診事項を抽出するための条件を設定する条件設定部１５ｂとを備えてなる。問診事項抽出部１５ａと、条件設定部１５ｂと、抽出された問診事項を記憶する抽出問診事項データセット１５ｃとを併せて問診内容変更部１５を構成している。１６は健康管理端末に関するデータを記憶する端末テーブルである。
【００１６】
問診事項テーブル１１にあっては、全ての問診事項に付された問診ＩＤとともに問診事項を管理している。利用者テーブル１２にあっては、利用者氏名や利用者が使用する健康管理端末の端末ＩＤ、過去に利用者に与えた問診事項を管理するための問診ＩＤが利用者ＩＤを付されて管理されている。バイタルデータ測定結果テーブル１３にあっては、利用者ＩＤと測定日時とともに測定されたバイタルデータが管理されている。問診回答結果テーブル１４にあっては、利用者ＩＤと回答日時とともに回答された問診結果及び回答した問診ＩＤが問診番号を付されて管理されている。端末テーブル１６にあっては、健康管理端末２の電話番号やそこで使用されるバイタルセンサが端末ＩＤを付されて管理されている。
【００１７】
上述した構成の健康管理システムにあっては、問診事項を格納した問診事項テーブル１１が問診内容変更部１５を介して利用者テーブル１２や問診回答結果テーブル１４と連携が図られている。問診内容変更部１５では、健康管理端末２で入力された利用者の健康に関するデータに基づき問診事項を選択する条件を設定し、問診事項テーブルからこの条件に該当するデータが抽出されるようになっている。抽出されたデータは問診事項データセットとして抽出問診事項データセット１５ｃに保存される。この問診事項データセットが利用者テーブル１２や問診回答結果テーブル１４に連携されることにより、端末装置２で入力された健康に関するデータに適応した問診事項が設定され、端末装置２に送信されるようになっている。
【００１８】
本実施の形態にあっては、個々の利用者の健康状態に応じて問診事項が変化するため、問診回答データからより詳細に利用者の健康状態を把握することが可能になる。なお、得られた問診回答データに基づいて問診事項データセットを変更するようにすれば、利用者の自覚症状に応じてより必要な問診事項を詳細に割り当てることが可能になる。また、測定されたバイタルデータに基づいて問診事項データセットを変更するようにすれば、利用者の自覚症状の有無にかかわらず適切な問診事項を詳細に割り当てることが可能になる。さらに、病名テーブル１７ａを参照し、利用者の有している病気に基づいて問診事項データセットを変更するようにすれば、その病気の進行状態等を判断する問診事項を割り当てることが可能になる。
【００１９】
なお、初めて健康管理端末を利用する利用者に対しては、問診事項抽出部１５ａは、問診事項テーブル１１に予め登録されている全ての問診事項の中から病名の特定に有効な問診事項を抽出するようにしてもよい。このように抽出された問診事項データセットに対して利用者が回答することにより、利用者の大凡の病名を特定することが可能になり、次回以降利用者に応じたさらに詳細な問診事項データセットを利用者に与えることが可能になる。
【００２０】
さらに、問診事項抽出部１５ａにより、定期的に条件設定部１５ｂに依らない問診事項をランダムに抽出し問診事項データセットに組み込むようにしてもよい。これにより、利用者に回答を求める問診事項の内容が定期的に多様化し、利用者の気が付かなかった病気等の発見を促すことが可能になる。
【００２１】
さらに、単なる「はい／いいえ」の問診回答だけでなく、その病状レベルがどのような状態にあるかを利用者に回答させ、病状レベルテーブル１７ｂを参照することにより利用者の回答結果に応じて問診事項数を変更するようにすれば、病状レベルが悪化傾向にあればその症状に類する問診事項を多数利用者に与える等により、より緻密な健康状態の把握を行うことが可能になり、ひいては利用者に行うアドバイスも的確なものになるという効果を奏する。また、逆に、病状レベルが悪化傾向にない場合は問診事項数を減じることができるため、利用者や問診回答データを解析する負担を軽減することが可能になる。
【００２２】
上述した健康管理システムにあっては、利用者の健康に関するデータは健康管理端末２から入力されるようになっている。しかしながら、病院等に設置され、患者のカルテ等が蓄積される病歴データベース１８（図４参照）には利用者の最新の健康に関するデータが蓄積されている場合がある。そこで、センター装置１において、健康管理システムとは別に存する病院等に設置された病歴データベース１８から利用者の健康に関する最新のデータを取得するようにしてもよい。これにより、より精度の高い最新の利用者の健康に関するデータを入手することが可能になるとともに、利用者の入力の手間を軽減することが可能になる。
【００２３】
【発明の効果】
以上のように、請求項１記載の発明にあっては、居室等に設置される健康管理端末と、健康管理端末に通信回線を介して接続されるセンター装置とを備え、センター装置から健康管理端末へは問診事項データセット等のデータを伝送し、健康管理端末からセンター装置へは問診事項に対する問診回答データ等のデータを伝送し、センター装置にあっては健康管理端末から送信されたデータを管理する健康管理システムにおいて、センター装置は、問診事項格納部と、利用者データ格納部と、健康データ格納部と、設定された条件に従い問診事項格納部から問診事項データセットを抽出する問診事項抽出部と、健康管理端末から入力される健康に関するデータに基づいて問診事項を抽出するための条件を設定する条件設定部とを備え、前記問診事項格納部は前記利用者データ格納部と前記健康データ格納部と連携し、前記条件に該当する問診事項データセットを抽出するようにしたので、利用者毎に問診事項を抽出するための条件を変更することにより各利用者に応じた問診事項を設定することが可能になるため、問診回答データから利用者の状態をより詳細に把握することが可能になる健康管理システムを提供することが可能になるという効果を奏する。
【００２４】
請求項２記載の発明にあっては、請求項１記載の健康管理システムにおいて、健康データ格納部は問診回答データを格納するものであり、健康管理端末から入力される健康に関するデータが問診回答データであるようにしたので、問診回答データにより利用者の自覚症状のある健康状態に応じてより必要な問診事項を各利用者に割り当てることが可能になるという効果を奏する。
【００２５】
請求項３記載の発明にあっては、請求項１記載の健康管理システムにおいて、健康データ格納部はバイタルデータを格納するものであり、健康管理端末から入力される健康に関するデータがバイタルデータであるようにしたので、以前に測定されたバイタルデータが問診事項の内容に反映されるため、自覚症状のない健康状態に対して適切な問診事項を割り当てることが可能になるという効果を奏する。
【００２６】
請求項４記載の発明にあっては、請求項１記載の健康管理システムにおいて、健康データ格納部は病名データを格納するものであり、健康管理端末から入力される健康に関するデータが病名データであるようにしたので、利用者の有している病気に応じた問診事項を詳細に割り当てることが可能になるという効果を奏する。
【００２７】
請求項５記載の発明にあっては、請求項１記載の健康管理システムにおいて、問診事項抽出部は、新規に問診を行う利用者に対して、問診事項格納部に予め登録されている全ての問診事項の中から病名の特定に有効な問診事項を抽出するようにしたので、新規の利用者の健康状態について漏れなく問診することが可能になるという効果を奏する。
【００２８】
請求項６記載の発明にあっては、請求項１記載の健康管理システムにおいて、問診事項抽出部は、定期的に条件設定部に依らない問診事項をランダムに抽出し問診事項データセットに組み込むようにしたので、利用者が知覚していない症状の発見を促すことが可能になるという効果を奏する。
【００２９】
請求項７記載の発明にあっては、請求項１記載の健康管理システムにおいて、利用者データ格納部は、利用者の病状レベルを格納し、条件設定部は、病状レベルに応じて問診事項データセットの問診事項数を変更するようにしたので、利用者の病歴とその症状にあわせて問診事項を適切に設定することが可能になるという効果を奏する。
【００３０】
請求項８記載の発明にあっては、請求項１記載の健康管理システムにおいて、センター装置は、病院等に設置される外部の病歴データベースから利用者の健康に関するデータを取得するようにしたので、利用者の近時の正確な健康状態を利用者の手を煩わすことなく入手することが可能になるという効果を奏する。
【図面の簡単な説明】
【図１】本発明に係る一実施の形態の健康管理システムの概略構成図である。
【図２】本発明に係る他の実施の形態の健康管理システムの概略構成図である。
【図３】センター装置の概略ブロック図である。
【図４】他の実施の形態に係るセンター装置の概略ブロック図である。
【符号の説明】
１      センター装置
２      健康管理端末
３      通信回線
１１    問診事項格納部
１２    利用者データ格納部
１３    健康データ格納部
１５ａ  問診事項抽出部
１５ｂ  条件設定部
１７ａ  病名テーブル
１７ｂ  病状レベルテーブル
【図１】
0003849346.tif 000002
【図２】
0003849346.tif 000003
【図３】
0003849346.tif 000004
【図４】
0003849346.tif 000005